(57)【特許請求の範囲】
【請求項１】
座体、キャップおよび回転ユニットを備え、
前記座体は、連結部、弾性ユニットを収容する格納部、当該格納部から伸びて形成された支持柱、および当該支持柱の先端から外側に突出して形成された少なくとも一つのストッパーを有し、
前記キャップは、前記座体の前記格納部と嵌合可能であり、かつ前記格納部と繋がる穿孔、および当該穿孔の中に配置される導電片とを有し、
前記回転ユニットは、前記キャップの前記穿孔内に差し込まれ、前記キャップに対して装着位置から導通位置まで相対回転可能であり、前記弾性ユニットに付勢され、両側を貫通しランプ端子の差し込みに用いる嵌合溝を有し、
前記嵌合溝は前記支持柱の差し込みに用いる装着孔を有し、
前記装着孔は内側に前記支持柱の前記ストッパーに対応する位置決め部を有し、
前記位置決め部は両側に誘導斜面が形成され、
前記回転ユニットを装着位置まで回転させる過程において、前記回転ユニットの前記誘導斜面は前記支持柱の前記ストッパーによって制限され、前記回転ユニットは回転の際に前記キャップの方向に徐々に後退すると同時に前記弾性ユニットを圧縮し、前記回転ユニットを装着位置まで回転させると、前記回転ユニットの前記位置決め部と前記支持部の前記ストッパーとが当接し、前記回転ユニットが固定され、
前記回転ユニットを導通位置まで回転させると、前記位置決め部と前記ストッパーとが離間し、前記回転ユニットは前記弾性ユニットの弾力によって外部に突出し、
前記弾性ユニットと前記回転ユニットとの間には当接ユニットが配置され、
前記弾性ユニットは、一端が前記格納部に当接し、他端が前記当接ユニットに当接することで、前記当接ユニットは前記弾性ユニットの弾力によって前記回転ユニットに当接することを特徴とする回転式のランプソケット。
【請求項２】
前記座体は、少なくとも一つの第一差込部をさらに有し、
前記キャップは、前記座体の前記第一差込部に対応する第二差込部を有し、前記第二差込部と前記第一差込部とを相互に嵌め合わせることによって前記座体と結合することを特徴とする請求項１に記載の回転式のランプソケット。
【請求項３】
前記支持柱は、二つの相互に対向する外側翼形部から構成され、
前記ストッパーは、前記外側翼形部の先端から外側に突出して形成され、
前記弾性ユニットは二つの前記外側翼形部の間に格納され、
前記当接ユニットは二つの前記外側翼形部に対応する開口部を有し、
前記開口部は前記外側翼形部の貫通に用いられることを特徴とする請求項１に記載の回転式のランプソケット。
【請求項４】
前記装着孔は、内側の両側に前記支持柱の前記ストッパーに対応する位置決め部を有することを特徴とする請求項３に記載の回転式のランプソケット。
【請求項５】
前記回転ユニットは、面板、および、当該面板と逆方向に伸びて形成された軸部とを有し、
前記回転ユニットの前記軸部は、前記キャップの前記穿孔を貫通し、
前記回転ユニットは前記穿孔の中心を軸に前記キャップに対向ながら回転することを特徴とする請求項１に記載の回転式のランプソケット。
【請求項６】
前記回転ユニットが導通位置まで回転する際、前記嵌合溝に嵌め込まれた前記ランプの端子と前記穿孔内の前記導電片とが当接し、導通状態となることを特徴とする請求項１に記載の回転式のランプソケット。
【発明の詳細な説明】
【技術分野】
【０００１】
本発明は、ランプソケットに関し、詳しくは回転式のランプソケットに関するものである。
【背景技術】
【０００２】
図９に示すように、特許文献１に開示されたランプソケットは中空状の本体９１を有する。本体９１は内部に当接ユニット９２を有する。当接ユニット９２は弾性ユニット９３の弾力によって本体９１の外部に突出し、かつ外側に位置する端面に差込口９４を有し、内部に差込口９４と繋がる導電片９５を有する。ランプ端子（図中未表示）が当接ユニット９２の差込口９４に差し込まれる際、ランプ端子と導電片９５とは相互に接触し、導通状態となる。当接ユニット９２は、弾性ユニット９３の弾力によってランプの端部に当接することで、ランプを固定する。
【先行技術文献】
【特許文献】
【０００３】
【特許文献１】台湾実用新案第１８１１２号明細書
【発明の概要】
【発明が解決しようとする課題】
【０００４】
上述した、特許文献１に記載のランプソケットを使用し、ランプを取り付ける際、当接ユニット９２は弾力ユニット９３の弾力を受けて突出しているため、当接ユニット９２を押さえ、弾性ユニット９３を圧縮し、当接ユニット９２を後退させないとランプの取り付け作業をスムーズに行うことができない。よって、取り付け工程は非常に煩雑となり、当接ユニット９２を押さえながらランプ端子を当接ユニット９２の差込口９４に差し込む工程は難度が高く、作業が難しい。
本発明は、ランプの取り付け作業の迅速化および簡単化を実現可能であり、取り付けたランプの安定性を高める回転式のランプソケットを提供することを目的とする。
【課題を解決するための手段】
【０００５】
上述の目的を達成するために、本発明による回転式のランプソケットは、座体、キャップおよび回転ユニットを備える。
座体は、連結部と、弾性ユニットを収容する格納部と、格納部から伸びて形成された支持柱と、支持柱の先端から外側に突出して形成された少なくとも一つのストッパーとを有する。
キャップは、座体の格納部と嵌合可能であり、かつ格納部と繋がる穿孔と、穿孔の中に配置された導電片とを有する。
回転ユニットは、キャップの穿孔内に差し込まれ、キャップに対向しながら回転可能であり、弾性ユニットにより付勢される。回転ユニットは、両側を貫通しランプ端子の差し込みに用いる嵌合溝を有する。嵌合溝は支持柱の差し込みに用いる装着孔を有し、装着孔は内側に支持柱のストッパーに対応する位置決め部を有し、位置決め部は両側に誘導斜面を有する。
【０００６】
回転ユニットを装着位置まで回転させる過程において、回転ユニットの誘導斜面は支持柱のストッパーによって制限されるため、回転ユニットは回転の際にキャップの方向に徐々に後退すると同時に弾性ユニットを圧縮する。回転ユニットを装着位置まで回転させると、回転ユニットの位置決め部と支持部のストッパーとが当接し、回転ユニットを固定する。
回転ユニットを導通位置まで回転させると、位置決め部とストッパーとが離間し、回転ユニットは弾性ユニットの弾力によって外部に突出することができる。
【図面の簡単な説明】
【０００７】
【図１】本発明の一実施形態による回転式のランプソケットを示す分解斜視図である。
【図２】本発明の一実施形態による回転式のランプソケットを示す斜視図である。
【図３】本発明の一実施形態による回転式のランプソケットを示す断面図である。
【図４】本発明の一実施形態による回転式のランプソケットの回転ユニットを作動させる状態を示す断面図である。
【図５】本発明の一実施形態による回転式のランプソケットを組み立てる工程を示す模式図である。
【図６】本発明の一実施形態による回転式のランプソケットの回転ユニットにランプ端子を嵌め込んだ使用状態を示す模式図である。
【図７】本発明の一実施形態による回転式のランプソケットの回転ユニットを導通位置まで回転させた状態を示す模式図である。
【図８】本発明の一実施形態による回転式のランプソケットの回転ユニットが導通位置まで回転し、ランプ端子と導電片とが接続した状態を示す模式図である。
【図９】従来のランプソケットの構造を示す模式図である。
【発明を実施するための形態】
【０００８】
以下、本発明による実施形態の回転式のランプソケットを図面に基づいて説明する。
図１から図８に示すように、本発明の一実施形態による回転式のランプソケット１とランプ５１の端子５２とは相互に差し込まれ、電気的に導通状態となる。回転式のランプソケット１は、座体１１、当接ユニット２１、キャップ３１および回転ユニット４１を備える。
【０００９】
座体１１は、ランプホルダー６１との連結に用いる連結部１２と、連結部１２と逆方向に伸びて形成された格納部１３と、連結部１２の両側および格納部１３の外側にそれぞれ形成された第一差込部１４と、格納部１３の中から伸びて形成された支持柱１５とを有する。本実施形態において、支持柱１５は二つの外側翼形部１５１から構成され、二つの外側翼形部１５１は相互に対向するように形成され、先端から外側に突出して形成されたストッパー１６を有する。支持柱１５は二つの外側翼形部１５１の間に装着された弾性ユニット１７を有する。
【００１０】
当接ユニット２１は、円盤状を呈し、座体１１の格納部１３内に格納され、かつ支持柱１５の外側翼形部１５１に対応する部位に二つの開口部２２を有し、開口部２２は外側翼形部１５１の貫通に用いられる。弾性ユニット１７は一端が格納部１３に当接し、他端が当接ユニット２１に当接する。
【００１１】
キャップ３１は、座体１１の第一差込部１４に対応する第二差込部３２を有し、かつ第二差込部３２と第一差込部１４とを相互に嵌め合わせることによって座体１１と結合する。キャップ３１はさらに格納部１３と繋がる穿孔３３を有し、穿孔３３の中にランプ５１の端子５２に電気的に接続される導電片３４を有する。
【００１２】
回転ユニット４１は、面板４２と、面板４２と逆方向に伸びて形成された軸部４３とを有する。面板４２はランプ５１の端子５２の差し込みに用いるため回転ユニット４１の両側を貫通する嵌合溝４４を有し、嵌合溝４４は中間部位支持柱１５の差し込みに用いる装着孔４５を有する。回転ユニット４１の軸部４３はキャップ３１の穿孔３３を貫通するため、回転ユニット４１は装着位置および導通位置において穿孔３３の中心を軸にキャップ３１に対向しながら回転することができる。このとき嵌合溝４４に差し込まれたランプ５１の端子５２は回転によって導電片３４に接触し、導通状態を構成することができる。座体１１の格納部１３内に位置する当接ユニット２１は弾性ユニット１７の弾力によって回転ユニット４１に当接する。一方、装着孔４５は内縁部の両側に支持柱１５のストッパー１６に対応する位置決め部４６を有し、位置決め部４６は両側に位置決め部４６と結合する誘導斜面４７を有する。
【００１３】
図４に示すように、上述したユニットから構成された本発明は、座体１１および支持柱１５が動かず固定された（即ち本発明によるランプソケットがランプホルダー６１に取り付けられた）上で回転ユニット４１を装着位置まで回転させる過程において支持柱１５のストッパー１６によって回転ユニット４１の誘導斜面４７を制限するため、回転ユニット４１は回転の際にキャップ３１の方向に徐々に後退すると同時に弾性ユニット１７を圧縮する。回転ユニット４１を装着位置まで回転させる際、回転ユニット４１の位置決め部４６と支持部１５のストッパー１６とは相互に当接し、回転ユニット４１を固定する。
【００１４】
一方、回転ユニット４１を導通位置まで回転させる際、位置決め部４６とストッパー１６の当接状態は解除されるため、回転ユニット４１は再び弾性ユニット１７の復元弾力によって外部に突出することができる。
【００１５】
図４に示すように、本発明を使用する際、まず回転ユニット４１を装着位置まで回転させ、支持柱１５のストッパー１６によって回転ユニット４１の誘導斜面４７を制限する。このとき回転ユニット４１は回転の際にキャップ３１の方向に徐々に後退すると同時に弾性ユニット１７を圧縮することができる。続いて回転ユニット４１の位置決め部４６と支持部１５のストッパー１６とを相互に当接させると、回転ユニット４１はキャップ１３の方向に後退し、弾性ユニット１７を圧縮する状態を維持することができる。図５および図６に示すように、このときユーザーは回転ユニット４１を押す必要なく、回転ユニット４１の嵌合溝４４にランプ５１の端子５２を嵌め込み、ランプ５１の取り付け作業を迅速化および簡単化することができる。
【００１６】
一方、嵌合溝４４に嵌め込まれたランプ５１を回す際、端子５２によって回転ユニット４１を導通位置まで９０度回転させることができる。図７に示すように回転ユニット４１を導通位置まで回転させると、位置決め部４６とストッパー１６の当接状態は解除され、図８に示すようにランプ５１の端子５２と穿孔３３内の導電片３４とは相互に接触し、導通状態となる。一方、回転ユニット４１は弾性ユニット１７の復元弾力によって再び外側に突出することができる。このときランプ５１の端部は回転ユニット４１の外側に飛び出す力によって押し付けられることでランプ５１に固定効果を果たすことができる。従って、本発明はランプ５１を導通位置まで回転させる際、ランプ５１を確実に固定し、逸脱現象を抑制する効果を有する。
【符号の説明】
【００１７】
１・・・回転式のランプソケット
１１・・・座体、  
１２・・・連結部、  
１３・・・格納部、  
１４・・・第一差込部、  
１５・・・支持柱、  
１５１・・・外側翼形部、  
１６・・・ストッパー、  
１７・・・弾性ユニット、  
２１・・・当接ユニット、  
２２・・・開口部、  
３１・・・キャップ、  
３２・・・第二差込部、  
３３・・・穿孔、  
３４・・・導電片、  
４１・・・回転ユニット、  
４２・・・面板、  
４３・・・軸部、  
４４・・・嵌合溝、  
４５・・・装着孔、  
４６・・・位置決め部、  
４７・・・誘導斜面、  
５１・・・ランプ、  
５２・・・端子、  
６１・・・ランプホルダー。
【図１】
0005499078.tif 000002
【図２】
0005499078.tif 000003
【図３】
0005499078.tif 000004
【図４】
0005499078.tif 000005
【図５】
0005499078.tif 000006
【図６】
0005499078.tif 000007
【図７】
0005499078.tif 000008
【図８】
0005499078.tif 000009
【図９】
0005499078.tif 000010